(57)【要約】【課題】液滴を複数回吐出することでメディア上に配されるドットの面積測定を精度良く行うことができ、ノズルの吐出量を良好に補正可能な、液滴吐出装置、液滴吐出方法、及びカラーフィルターの製造方法を提供する。【解決手段】液滴を吐出する複数のノズルを有し、複数のノズルの各々から液滴を複数回吐出することで一つのドットを構成する液滴吐出ヘッド５と、少なくとも表面に受容層が設けられ、液滴吐出ヘッド５から複数のドットが配されるドット受け部と、ドット受け部に配されたドットの各々の面積を測定する測定部と、測定部の測定結果に基づいて複数のノズル間における液滴の吐出量のばらつきを補正する補正手段と、受容層への染み込みにより液滴の着弾径が変化しない間隔で、複数のノズルの各々から液滴を順次吐出するように液滴吐出ヘッド５の吐出タイミングを制御する制御部１１と、を備えた液滴吐出装置ＩＪである。【選択図】図１
2010210853.tif 000002
【特許請求の範囲】
【請求項１】
液滴を吐出する複数のノズルを有し、前記複数のノズルの各々から前記液滴を複数回吐出することで一つのドットを構成する液滴吐出ヘッドと、
少なくとも表面に受容層が設けられ、前記液滴吐出ヘッドから前記複数のドットが配されるドット受け部と、
前記ドット受け部に配された前記ドットの各々の面積を測定する測定部と、
前記測定部の測定結果に基づいて前記複数のノズル間における前記液滴の吐出量のばらつきを補正する補正手段と、
前記受容層への染み込みにより前記液滴の着弾径が変化しない間隔で、前記複数のノズルの各々から前記液滴を順次吐出するように前記液滴吐出ヘッドの吐出タイミングを制御する制御部と、を備えることを特徴とする液滴吐出装置。
【請求項２】
前記制御部は、前記液滴の吐出間隔が２００μｓｅｃ以内となるように前記液滴吐出ヘッドを駆動することを特徴とする請求項１に記載の液滴吐出装置。
【請求項３】
分散液中に分散媒が分散されてなる機能液の液滴を吐出する複数のノズルを有し、前記複数のノズルの各々から前記液滴を複数回吐出して一つのドットを構成する液滴吐出ヘッドを用いて複数の前記ドットを基板上に配する液滴吐出方法であって、
前記液滴吐出ヘッドから前記基板上に前記複数のドットを描画するに先立ち、
少なくとも表面に受容層が設けられたドット受け部上に、前記液滴吐出ヘッドから前記複数のドットを配する配置工程と、
前記ドット受け部に配された前記複数のドットの各々の面積を測定する測定工程と、
前記測定部の測定結果に基づいて前記複数のノズル間における前記液滴の吐出量のばらつきを補正する補正工程と、を有し、
前記配置工程において、前記受容層への染み込みにより前記液滴の着弾径が変化しない間隔で、前記複数のノズルの各々から前記液滴を順次吐出することを特徴とする液滴吐出方法。
【請求項４】
前記配置工程においては、前記複数のノズルの各々から前記液滴を２００μｓｅｃ以内の間隔で吐出することを特徴とする請求項３に記載の液滴吐出方法。
【請求項５】
請求項１又は２に記載の液滴吐出装置、或いは請求項３又は４に記載の液滴吐出方法を用いて、基材上に設けられた所定領域に前記機能液を配置してカラーフィルターを形成することを特徴とするカラーフィルターの製造方法。
【発明の詳細な説明】
【技術分野】
【０００１】
本発明は、液滴吐出装置、液滴吐出方法、及びカラーフィルターの製造方法に関するものである。
【背景技術】
【０００２】
インクジェットプリンター（液滴吐出装置）の液滴吐出ヘッドは、微小なインク滴をドット状に吐出することが可能であり、インク滴の大きさやピッチの均一性の面で極めて精度が高い。この技術は、各種製品、例えば電気光学装置等の製造分野への応用がなされている。例えば、液晶装置のカラーフィルター層や有機ＥＬ表示装置の発光部等の膜を形成する場合に応用することができる。
【０００３】
インクジェット方式でカラーフィルター層を形成する場合、各ノズルからのインク吐出量のばらつきが表示ムラとして現れる。その解決方法として、基板に描画した被着色媒体の着色部分の色濃度を測定して補正する技術がある（例えば、特許文献１参照）。
【先行技術文献】
【特許文献】
【０００４】
【特許文献１】特開平１０−２６０３０６号公報
【発明の概要】
【発明が解決しようとする課題】
【０００５】
しかしながら、上記特許文献１の技術では、吸光度の測定誤差により正確な補正を行うことが難しかった。そこで、例えばインクジェットプリンター用紙等のメディア（ドット受け部）に描画した各ドット面積を測定し、各ノズルの吐出量を補正することが考えられる。
ところで、上記メディアに描画するドットは、カラーフィルター層を形成する場合と同様、複数のインク滴から構成されている。この場合、メディア上に描画されるドットの形状がばらつくことで安定したドット面積が得られず、吐出量のばらつき補正を精度良く行うことができない可能性がある。
【０００６】
本発明はこのような事情に鑑みてなされたものであって、液滴を複数回吐出することでメディア上に配されるドットの面積測定を精度良く行うことができ、ノズルの吐出量を良好に補正可能な、液滴吐出装置、液滴吐出方法、及びカラーフィルターの製造方法を提供することを目的としている。
【課題を解決するための手段】
【０００７】
本発明者は上記課題を解決するために鋭意研究の結果、ドットの形状は、メディア上に連続的に吐出されるインク滴の染み込み具合の影響を受けるものであり、各ドットを構成する液滴の吐出条件を管理することによりドット面積を安定化させることができるとの知見を得た。そして、この知見に基づいて本発明を完成させた。本発明の液滴吐出装置は、液滴を吐出する複数のノズルを有し、前記複数のノズルの各々から前記液滴を複数回吐出することで一つのドットを構成する液滴吐出ヘッドと、少なくとも表面に受容層が設けられ、前記液滴吐出ヘッドから前記複数のドットが配されるドット受け部と、前記ドット受け部に配された前記ドットの各々の面積を測定する測定部と、前記測定部の測定結果に基づいて前記複数のノズル間における前記液滴の吐出量のばらつきを補正する補正手段と、前記受容層への染み込みにより前記液滴の着弾径が変化しない間隔で、前記複数のノズルの各々から前記液滴を順次吐出するように前記液滴吐出ヘッドの吐出タイミングを制御する制御部と、を備えることを特徴とする。
【０００８】
本発明の液滴吐出装置によれば、受容層上に着弾径が保持された状態で順次液滴が吐出されるので、受容層上に配されるドットを平面視略真円形状とすることができる。よって、測定部により各ドットの面積を精度良く測定することができ、補正手段により複数のノズル間における液滴の吐出量のばらつきを良好に補正できる。したがって、例えば基板上に配される各ドットによってムラの無い均一な膜を形成することができる。
【０００９】
また、上記液滴吐出装置においては、前記制御部は、前記液滴の吐出間隔が２００μｓｅｃ以内となるように前記液滴吐出ヘッドを駆動するのが好ましい。
このような間隔で液滴を吐出すれば着弾径が保持された状態の液滴を受容層上に重ねて配置できる。よって、ドット受け部上に配されるドット面積を確実に安定させることができ、液滴の吐出量のばらつきを精度良く補正できる。
【００１０】
また、本発明の液滴吐出方法は、分散液中に分散媒が分散されてなる機能液の液滴を吐出する複数のノズルを有し、前記複数のノズルの各々から前記液滴を複数回吐出して一つのドットを構成する液滴吐出ヘッドを用いて複数の前記ドットを基板上に配する液滴吐出方法であって、前記液滴吐出ヘッドから前記基板上に前記複数のドットを描画するに先立ち、少なくとも表面に受容層が設けられたドット受け部上に、前記液滴吐出ヘッドから前記複数のドットを配する配置工程と、前記ドット受け部に配された前記複数のドットの各々の面積を測定する測定工程と、前記測定部の測定結果に基づいて前記複数のノズル間における前記液滴の吐出量のばらつきを補正する補正工程と、を有し、前記配置工程において、前記受容層への染み込みにより前記液滴の着弾径が変化しない間隔で、前記複数のノズルの各々から前記液滴を順次吐出することを特徴とする。
【００１１】
本発明の液滴吐出方法によれば、受容層に分散液が染み込まない間隔で順次液滴が吐出されるので、受容層上に略真円形状のドットを配することができる。よって、各ドットの面積を精度良く測定することができ、複数のノズル間における液滴の吐出量のばらつきを良好に補正できる。したがって、各ドットによってムラの無い均一な膜を基板上に形成することができる。
【００１２】
また、前記配置工程においては、前記複数のノズルの各々から前記液滴を２００μｓｅｃ以内の間隔で吐出するのが好ましい。
このような間隔で液滴が吐出することで液滴の分散液の受容層への染み込みが確実に防止される。よって、ドット受け部上に配されるドット面積をより安定させることができる。
【００１３】
本発明のカラーフィルターの製造方法は、上記液滴吐出装置、或いは上記液滴吐出方法を用いて、基材上に設けられた所定領域に前記機能液を配置してカラーフィルターを形成することを特徴とする。
【００１４】
本発明のカラーフィルターの製造方法によれば、液滴吐出ヘッドによって配置された各ドットは均一な膜を構成するため、スジムラの無い高品質なカラーフィルターを製造することができる。
【図面の簡単な説明】
【００１５】
【図１】液滴吐出装置の概略構成図である。
【図２】液滴吐出ヘッドの概略構成図である。
【図３】ノズル検査部の概略構成を示す図である。
【図４】メディアの構成を示す断面図である。
【図５】ドットのばらつき状態を示す図である。
【図６】メディア上に配置された液滴の状態を説明するための図である。
【図７】本実施形態によりメディア上に形成されるドットの形状を示す図である。
【図８】カラーフィルター基板上にカラーフィルターを形成する工程の説明図である。
【発明を実施するための形態】
【００１６】
以下、図面を参照して本発明の一実施形態について説明する。以下の説明においては、図１中に示されたＸＹＺ直交座標系を設定し、このＸＹＺ直交座標系を参照しつつ各部材について説明する。ＸＹＺ直交座標系は、Ｘ軸及びＹ軸がワークステージ２に対して平行となるよう設定され、Ｚ軸がワークステージ２に対して直交する方向に設定されている。図１中のＸＹＺ座標系は、実際にはＸＹ平面が水平面に平行な面に設定され、Ｚ軸が鉛直上方向に設定される。
【００１７】
図１は、本実施形態に係る液滴吐出装置ＩＪの概略構成図である。液滴吐出装置ＩＪは、例えばインクジェット方式によりカラーフィルター基板の所定領域上にカラーフィルター材料の液滴を吐出してカラーフィルター層を形成する装置であり、本実施形態の液滴吐出方法を行うものでもある。
【００１８】
液滴吐出装置ＩＪは、装置架台１、ワークステージ２、ステージ移動装置３、キャリッジ４、液滴吐出ヘッド５、キャリッジ移動装置６、チューブ７、第１タンク８、第２タンク９、第３タンク１０及び制御装置１１を備えている。
【００１９】
装置架台１は、ワークステージ２及びステージ移動装置３の支持台である。ワークステージ２は、装置架台１上においてステージ移動装置３によってＸ軸方向に移動可能に設置されており、上流側の搬送装置（図示せず）から搬送されるカラーフィルター基板（基材）Ｐを、真空吸着機構によりＸＹ平面上に保持する。ステージ移動装置３は、ボールネジまたはリニアガイド等の軸受け機構を備え、制御装置１１から入力される、ワークステージ２のＸ座標を示すステージ位置制御信号に基づいて、ワークステージ２をＸ軸方向に移動させる。
【００２０】
キャリッジ４は、液滴吐出ヘッド５を保持するものであり、キャリッジ移動装置６によってＹ軸方向及びＺ軸方向に移動可能に設けられている。液滴吐出ヘッド５は、図示略の複数のノズルを備えており、制御装置１１から入力される描画データや駆動制御信号に基づいて、カラーフィルター材料の液滴を吐出する。この液滴吐出ヘッド５は、カラーフィルター材料のＲ（赤）、Ｇ（緑）、Ｂ（青）に対応して設けられており、それぞれの液滴吐出ヘッド５はキャリッジ４を介してチューブ７と連結されている。そして、Ｒ（赤）に対応する液滴吐出ヘッド５はチューブ７を介して第１タンク８からＲ（赤）用のカラーフィルター材料の供給を受け、Ｇ（緑）に対応する液滴吐出ヘッド５はチューブ７を介して第２タンク９からＧ（緑）用のカラーフィルター材料の供給を受け、また、Ｂ（青）に対応する液滴吐出ヘッド５はチューブ７を介して第３タンク１０からＢ（青）用のカラーフィルター材料の供給を受けるようになっている。
【００２１】
キャリッジ移動装置６は、装置架台１を跨ぐ橋梁構造をしており、Ｙ軸方向及びＺ軸方向に対してボールネジまたはリニアガイド等の軸受け機構を備え、制御装置１１から入力される、キャリッジ４のＹ座標及びＺ座標を示すキャリッジ位置制御信号に基づいて、キャリッジ４をＹ軸方向及びＺ軸方向に移動させる。
【００２２】
制御装置（制御部）１１は、ステージ移動装置３にステージ位置制御信号を出力し、キャリッジ移動装置６にキャリッジ位置制御信号を出力すると共に、液滴吐出ヘッド５の駆動回路基板３０に描画データ及び駆動制御信号を出力して、液滴吐出ヘッド５による液滴吐出動作、ワークステージ２の移動によるカラーフィルター基板Ｐの位置決め動作、キャリッジ４の移動による液滴吐出ヘッド５の位置決め動作の同期制御を行うことにより、カラーフィルター基板Ｐ上の所定の位置にカラーフィルター材料の液滴を吐出する。
【００２３】
図２は液滴吐出ヘッド５の概略構成図である。図２（ａ）は液滴吐出ヘッド５をワークステージ２側から見た平面図、図２（ｂ）は液滴吐出ヘッド５の部分斜視図、図２（ｃ）は液滴吐出ヘッド５の１ノズル分の部分断面図である。
【００２４】
図２（ａ）に示すように、液滴吐出ヘッド５は、Ｙ軸方向に配列された複数（例えば１８０個）のノズルＮ１〜Ｎ１８０を備えている。ノズルＮ１〜Ｎ１８０によってノズル列ＮＡが形成されている。図２（ａ）では１列分のノズルを示したが、液滴吐出ヘッド５に設けるノズル数及びノズル列数は任意に変更可能であり、Ｙ軸方向に配列した１列分ノズルをＸ軸方向に複数列設けても良い。また、キャリッジ４内に配置する液滴吐出ヘッド５の数も任意に変更可能である。さらに、キャリッジ４をサブキャリッジ単位で複数設ける構成としても良い。
【００２５】
図２（ｂ）に示すように、液滴吐出ヘッド５は、チューブ７と連結される材料供給孔２０ａが設けられた振動板２０と、ノズルＮ１〜Ｎ１８０が設けられたノズルプレート２１と、振動板２０とノズルプレート２１との間に設けられた液溜まり２２と、複数の隔壁２３と、複数のキャビティ（液室）２４とを備えている。振動板２０上には、各ノズルＮ１〜Ｎ１８０に対応して圧電体素子（駆動素子）ＰＺ１〜ＰＺ１８０が配置されている。圧電体素子ＰＺ１〜ＰＺ１８０は、例えばピエゾ素子である。以下、圧電体素子ＰＺ１〜ＰＺ１８０を総称して圧電体素子ＰＺ、ノズルＮ１〜Ｎ１８０を総称してノズルＮと称す。
【００２６】
リザーバ２２には、材料供給孔２０ａを介して供給される液状のカラーフィルター材料（機能液）が充填されるようになっている。キャビティ２４は、振動板２０と、ノズルプレート２１と、１対の隔壁２３とによって囲まれるようにして形成されおり、各ノズルＮ１〜Ｎ１８０に１対１に対応して設けられている。また、各キャビティ２４には、一対の隔壁２３の間に設けられた供給口２４ａを介して、リザーバ２２からカラーフィルター材料が導入されるようになっている。
【００２７】
図２（ｃ）に示すように、圧電体素子ＰＺ１は、圧電材料２５を一対の電極２６で挟持したものであり、一対の電極２６に駆動信号を印加すると圧電材料２５が収縮するよう構成されたものである。そして、このような圧電体素子ＰＺ１が配置されている振動板２０は、圧電体素子ＰＺ１と一体になって同時に外側（キャビティ２４の反対側）へ撓曲するようになっており、これによってキャビティ２４の容積が増大するようになっている。
【００２８】
したがって、キャビティ２４内に増大した容積分に相当するカラーフィルター材料が、液溜まり２２から供給口２４ａを介して流入する。また、このような状態から圧電体素子ＰＺ１への駆動信号の印加を停止すると、圧電体素子ＰＺ１と振動板２０はともに元の形状に戻り、キャビティ２４も元の容積に戻ることから、キャビティ２４内のカラーフィルター材料の圧力が上昇し、ノズルＮ１からカラーフィルター基板Ｐに向けてカラーフィルター材料の液滴Ｌが吐出される。本実施形態に係る液滴吐出ヘッド５は、１回の吐出動作に基づく液滴Ｌの量が微小であるため、各々のノズルＮにおいて複数回（例えば、５回）の液滴Ｌの吐出動作に基づいて一つのドット（液溜り）を構成している。
【００２９】
ところで、一般に、液滴吐出ヘッド５には、各ノズルＮ間において液滴Ｌの吐出量のバラツキが生じている。この理由としては、例えばヘッド内部の流路の構造等が挙げられる。そこで、本実施形態の液滴吐出装置ＩＪは、液滴吐出ヘッド５によるカラーフィルター基板Ｐへの吐出動作に先立ち、液滴吐出ヘッド５の各ノズルＮにおける液滴Ｌの吐出状況を検出し、ノズルＮ間のバラツキを調整するようにしている。
【００３０】
具体的に本実施形態では、図１に示したように、キャリッジ４の移動領域におけるワークステージ２の外側の領域にノズル検査部５０を備えている。ノズル検査部５０は、図３に示すように液滴吐出ヘッド５から複数のドットが配置されるメディア（ドット受け部）５１と、例えばインクジェットプリンター用紙等からなるメディア５１に配置されたドットの各々の面積を測定する測定部５６と、を備えている。メディア５１は巻き取り機構（不図示）により巻取り可能とされており、ノズル検査終了後、液滴吐出後のインクジェットプリンター用紙を巻き取ることで他のノズル検査を続けて行うことが可能となっている。測定部５６はＣＣＤカメラ等の撮像手段から構成されるものである。
【００３１】
また、上記メディア５１は、図４に示すように、ベース紙５２上にインク受容層（受容層）５３を設けてなるシート状基材５４からなり、インク受容層５３の表面がインクジェット記録適正のある記録面をなしている。各ノズルＮから吐出されたカラーフィルター材料の溶媒はインク受容層５３に染み込むようになっている。
【００３２】
液滴吐出装置ＩＪは、ノズル検査部５０を用いる際、キャリッジ移動装置６によりキャリッジ４を移動させ、液滴吐出ヘッド５とメディア５１とを対向させる。そして、液滴吐出ヘッド５の各ノズルＮからメディア５１上にドットを配置する。
ノズル検査部５０の測定部５６は、制御装置１１と電気的に接続されている。これにより測定部５６が測定した各ドットの面積に関するデータが制御装置１１内に送信されるようになっている。
【００３３】
また、制御装置１１は、測定部５６による各ドットの測定面積に基づいて、例えばノズルＮ間における液滴Ｌの吐出量のバラツキを補正するように各圧電体素子ＰＺに印加する駆動信号の電圧を変化させる補正回路部（補正手段）５５を含んでいる。補正回路部５５は、上記測定部５６による測定結果に基づき、ドット面積が相対的に大きい（液滴Ｌの吐出量が相対的に多い）ノズルＮに対応する圧電体素子ＰＺに印加する駆動信号の電圧を低くする、或いは、ドット面積が相対的に小さい（液滴Ｌの吐出量が相対的に少ない）ノズルＮに対応する圧電体素子ＰＺに印加する駆動信号の電圧を高くすることでノズルＮ間における吐出量のバラツキを補正する。
このように液滴吐出装置ＩＪは、上記測定部５６により測定した各ドットの面積に関するデータに基づいてノズルＮ間における液滴Ｌの吐出量のばらつきを補正可能となっている。
【００３４】
ところで、本実施形態では、上述のように各ノズルＮにおいて複数回（５回）の液滴Ｌの吐出動作に基づいて一つのドットを構成している。このようにして構成されるドットの形状は、メディア５１上に連続的に吐出される液滴Ｌはインク受容層５３への染み込み具合の影響により、形状が安定せずばらつきが大きく可能性がある。具体的に液滴Ｌはインク受容層５３に染み込むことで着弾形状が変化する。このような状態で液滴Ｌが重ねて吐出されると構成されるドットの形状は安定化せずばらつきが生じる。すなわち、図５に示されるようにドット６０の面積にばらつきが生じてしまう。このようにインク受容層５３上に配されるドットにばらつきが生じると、測定部５６により測定されるドット面積の測定値の信頼性が低下してしまい、補正回路部５５によって行われる各ノズルＮ間の吐出量のばらつき補正における信頼性が低下してしまう。
【００３５】
このような不具合を解消すべく、本実施形態では、制御装置１１が、メディア５１へのドットの配置工程において、複数のノズルＮの各々から液滴Ｌを吐出するタイミングを制御するようにしている。具体的には、インク受容層５３への染み込みにより液滴Ｌの着弾径が変化しない間隔で、複数のノズルＮの各々から液滴Ｌを順次吐出するように液滴吐出ヘッド５の吐出タイミングを制御している。なお、本実施形態では、各ノズルＮから２００μｓｅｃの間隔で液滴Ｌを順次吐出することで一つのドットを構成している。
【００３６】
このようなタイミングでインク受容層５３に着弾した液滴Ｌ１は、図６に示されるように僅かながらインク受容層５３に染み込むものの、液滴Ｌ１における着弾径Ａが変化しない。よって、インク受容層５３上にて一定の着弾径Ａを保持する液滴Ｌ１に対して、次の液滴Ｌ２が重ねて吐出されるようになる。これにより、先に吐出されている液滴Ｌ１と後に吐出された液滴Ｌ２とは安定した形状、具体的に平面視略真円形状を保持した状態で一体化する。同様に、残りの液滴を順次吐出することで最終的に形成されるドット６０は図７に示すように安定した形状、すなわち平面視略真円状となる。
【００３７】
よって、測定部５６により各ドット６０の面積を精度良く測定することができ、補正回路部５５により複数のノズルＮ間における液滴Ｌの吐出量のばらつきを良好に補正できる。したがって、各ノズルＮからカラーフィルター基板Ｐ上に配される各ドット６０は、それぞれ均一な量の液滴から構成されているので、ムラの無い均一なカラーフィルター層を形成することができる。
【００３８】
図８は、液滴吐出装置ＩＪの液滴吐出ヘッド５を用いてカラーフィルター基板Ｐ上にカラーフィルターを形成する方法の説明図である。図８（ａ）は、機能液の吐出対象物であるカラーフィルター基板Ｐの概略平面図である。図８（ｂ）は、カラーフィルター基板Ｐの部分拡大平面図である。
【００３９】
図８（ａ）において、ガラス、プラスチック等によって形成された大面積のカラーフィルター基板Ｐの表面には複数のパネル領域ＣＡが設定されている。各パネル領域ＣＡは、互いに分離（切断）されて個々のカラーフィルター基板として提供される。各パネル領域ＣＡの内部には、図８（ｂ）に示すように、ドット状に配列された複数の画素ＰＸ（所定領域）が設けられている。画素ＰＸは各パネル領域ＣＡ内にマトリクス状に配列されており、それぞれの画素ＰＸ毎にカラーフィルター層（着色層）ＣＦが形成される。
【００４０】
本実施形態では、図８（ｂ）の図示上下方向（矢印Ａ１及び矢印Ａ２で示す方向）を主走査方向とし、主走査方向と直交する方向（図示左右方向）を副走査方向として、液滴吐出ヘッド５をカラーフィルター基板Ｐ上に配置する。そして、カラーフィルター基板Ｐを液滴吐出ヘッド５に対して主走査方向及び副走査方向に相対的に移動（走査）させながら、液滴吐出ヘッド５の複数のノズルＮの各々からカラーフィルター材料の液滴Ｌを複数回（５回）吐出することで各ドットをカラーフィルター基板Ｐ上に配し、これにより各画素ＰＸにカラーフィルター層ＣＦを形成する。
【００４１】
液滴吐出ヘッド５の走査は、１つのパネル領域ＣＡに関して複数回行う。例えば、主走査方向に液滴吐出ヘッド５を走査した後、副走査方向に液滴吐出ヘッド５を移動（走査）し、再度主走査方向に走査を行う。１つのパネル領域ＣＡの左端から右端まで移動（副走査）したら、再びパネル領域ＣＡの左端に戻り、既に吐出を行った位置とは若干異なる位置で主走査方向に走査を行う。そして、このような走査を複数回行うことによって、パネル領域ＣＡ内の全ての画素ＰＸに所望の膜厚のカラーフィルター層ＣＦを形成する。
【００４２】
なお、図８（ｂ）において液滴吐出ヘッド５が副走査方向に対して斜めに傾いているのは、液滴吐出ヘッド５のノズルＮのピッチを画素ＰＸのピッチに合わせるためである。ノズルＮのピッチと画素ＰＸのピッチとが所定の対応関係を満たして設定されていれば、液滴吐出ヘッド５を斜めに傾ける必要はない。
【００４３】
カラーフィルター層ＣＦは、Ｒ（赤）、Ｇ（緑）、Ｂ（青）の各色をいわゆるストライプ配列、デルタ配列、モザイク配列等といった適宜の配列形態で配列することによって形成される。したがって、図８（ｂ）に示す機能液の吐出工程においては、Ｒ、Ｇ、Ｂのカラーフィルター材料を吐出する液滴吐出ヘッド５を、Ｒ、Ｇ、Ｂの３色分だけ予め用意する。そして、これらの液滴吐出ヘッド５を順次に用いて１つのカラーフィルター基板Ｐ上にＲ、Ｇ、Ｂの３色のカラーフィルター層ＣＦの配列を形成する。
【００４４】
本実施形態によれば、上述のように液滴吐出ヘッド５によってカラーフィルター基板Ｐ上に配された各ドットはいずれも均一な量の液滴から構成されたものとなっているので、スジムラの無い高品質なカラーフィルター層ＣＦを製造することができる。
【００４５】
なお、上記実施形態では、ノズル間の吐出量のばらつきが調整された液滴吐出装置ＩＪを用いてカラーフィルターを製造する方法に用いる場合について説明したが、本発明の液滴吐出装置ＩＪはカラーフィルターの製造だけでなく、均一な膜厚を必要とされ、スジムラの形成が問題となる成膜工程においても適用可能である。
【符号の説明】
【００４６】
ＩＪ…液滴吐出装置、Ｎ…ノズル、Ｐ…カラーフィルター基板、ＰＸ…画素（所定領域）、５…液滴吐出ヘッド、１１…制御装置（制御部）、５１…メディア（ドット受け部）、５３…インク受容層、５５…補正回路部（補正手段）、５６…測定部、６０…ドット
【図１】
2010210853.tif 000003
【図２】
2010210853.tif 000004
【図３】
2010210853.tif 000005
【図４】
2010210853.tif 000006
【図５】
2010210853.tif 000007
【図６】
2010210853.tif 000008
【図７】
2010210853.tif 000009
【図８】
2010210853.tif 000010